(57)【特許請求の範囲】
【請求項１】
釣り用リールのリール本体に設けられ、釣り竿に設けられたリールシートに前記リールを装着するための釣り用リールの釣り竿装着機構であって、
前記リール本体の前記釣り竿装着部分に設けられた本体部と、
前記本体部の前記釣り竿の長手方向の両端に配置され、前記本体部に対して前記長手方向に移動自在に装着され前記リールシートに係止され得る１対の係止部と、
を備えた釣り用リールの釣り竿装着機構。
【請求項２】
前記係止部を前記本体部から離れる方向に付勢する第１付勢部材をさらに備える、請求項１に記載の釣り用リールの釣り竿装着機構。
【請求項３】
前記係止部を前記本体部に対して往復移動させる往復移動機構をさらに備える、請求項１に記載の釣り用リールの釣り竿装着機構。
【請求項４】
前記往復移動機構は、
前記係止部を前記本体部に前記長手方向に移動自在に案内する案内機構と、
両端部に異なる方向のネジが形成され前記両端部に前記両係止部が螺合する逆ネジ機構と、
を有する、請求項３に記載の釣り用リールの釣り竿装着機構。
【請求項５】
前記係止部において前記長手方向と交差する方向に突出する第２付勢部材をさらに備える、請求項１から４のいずれかに記載の釣り用リールの釣り竿装着機構。
【請求項６】
前記１対の係止部は、前記本体部から離れる方向に先細りテーパ状に形成されている、請求項１から５のいずれかに記載の釣り用リールの釣り竿装着機構。
【発明の詳細な説明】
【０００１】
【発明の属する技術分野】
本発明は、釣り竿装着機構、特に、釣り用リールのリール本体に設けられ、リール本体を釣り竿に設けられたリールシートに装着するための釣り用リールの釣り竿装着機構に関する。
【０００２】
【従来の技術】
スピニングリールや両軸受リールや片軸受リール等の釣り用リールには、釣り用リールを釣り竿のリールシートに取り付けるための竿装着脚が設けられている。スピニングリールの場合には、竿装着脚は、リール本体の上部にＴ字型に一体で形成されている。両軸受リールや片軸受リールの場合には、竿装着脚は、リール本体と一体又は別体で設けられている。これらの竿装着脚は、一般に、釣り竿の長手方向に沿うような形状の板状部材であり、断面が釣り竿丸みに合わせて円弧状に湾曲した形状である。竿装着脚の長手方向長さは、リールの大きさによって異なり、大型のリールでは長く小型のリールでは短くなっている。竿装着脚の厚みは竿装着脚の材質によって異なっている。また、竿装着脚のサイズ及び形状は、リールの製造メーカによっても若干のばらつきがある。
【０００３】
一方、釣り竿のリールシートは、竿装着脚の両端を係止可能な前後１対のフードを備えている。この１対のフードは、長手方向に間隔を隔てて釣り竿に対向して配置されている。
リールの竿装着脚のサイズ及び形状は種々あるため、リールシートは、一般に、どのようなサイズや形状のリールでも装着できるように、一方のフードが長手方向に竿装着脚の長さの違いを吸収できる程度に移動可能になっているものが多い。つまり、このようなリールシートは、１対のフードの間隔がどのようなリールにも対応できるようになっている。また、フードの形状もどのようなサイズや形状のリールでも装着可能なような形状となっている。
【０００４】
【発明が解決しようとする課題】
前記従来のどのようなリールにも対応できるようなリールシートにリールを装着すると、竿装着脚によってはリールシートのフードとの間にすきまがあくことがある。竿装着脚とフードとの間に隙間があくとリールを竿装着脚に装着してもリールががたつき、リールをリールシートに確実に装着できない。
【０００５】
本発明の課題は、リールをリールシートにがたつきを抑えて確実に装着できるようにすることにある。
【０００６】
【課題を解決するための手段】
発明１に係る釣り用リールの釣り竿装着機構は、釣り用リールのリール本体に設けられ、釣り竿に設けられたリールシートにリールを装着するための機構であって、本体部と、１対の係止部とを備えている。本体部は、リール本体の釣り竿装着部分に設けられている。１対の係止部は、本体部の釣り竿の長手方向の両端に配置され、本体部に対して長手方向に移動自在に装着されリールシートに係止され得る。
【０００７】
この釣り竿装着機構では、リールを釣り竿のリールシートに装着する場合には、係止部を本体部に対して長手方向に移動させる。これにより、釣り竿装着機構の全体長さを自由に変更でき、係止部をリールシートに確実に接触させることができ、リールをリールシートにがたつきを抑えて確実に装着できる。
発明２に係る釣り用リールの釣り竿装着機構は、発明１に記載の機構において、係止部を本体部から離れる方向に付勢する第１付勢部材をさらに備える。この場合には、係止部が第１付勢部材により付勢されるので、リールシートの一方のフードに一方の係止部を装着した状態で圧縮して他方の係止部を他方のフードに装着するだけでリールを簡単かつ確実にがたつきを抑えてリールシートに装着できる。
【０００８】
発明３に係る釣り用リールの釣り竿装着機構は、発明１に記載の機構において、係止部を本体部に対して往復移動させる往復移動機構をさらに備える。この場合には、リールを装着する際には、往復移動機構により係止部を往復移動させることで全体長さを調整する。これにより、リールシートの微妙な形状の違いに係わらずリールをリールシートにがたつきを抑えて確実に装着できる。
【０００９】
発明４に係る釣り用リールの釣り竿装着機構は、発明３に記載の機構において、往復移動機構は、係止部を本体部に長手方向に移動自在に案内する案内機構と、両端部に異なる方向のネジが形成され両端部に両係止部が螺合する逆ネジ機構とを有する。この場合には、逆ネジ機構を一方向に回転させると、両係止部が接近又は離反して全体長さを中心基準で調整できる。このため、釣り竿装着機構の全体長さを変更してもリールシートに対してリールが略一定位置に維持される。
【００１０】
発明５に係る釣り用リールの釣り竿装着機構は、発明１から４のいずれかに記載の機構において、係止部において長手方向と交差する方向に突出する第２付勢部材をさらに備える。この場合には、リールシートの長手方向と交差する方向のサイズが変動しても第２付勢部材がリールシートに接触するので、リールを釣り竿にさらにがたつきを抑えて確実に装着できる。
【００１１】
発明６に係る釣り用リールの釣り竿目装着機構は、発明１から５のいずれかに記載の機構において、１対の係止部は、本体部から離れる方向に先細りテーパ状に形成されている。この場合には、係止部が本体部から離れる方向に先細りテーパ状に形成されているので、係止部がリールシートのフードの開口縁に確実に接触する。
【００１２】
【発明の実施の形態】
〔実施形態１〕
図１及び図２において、本発明の一実施形態を採用した両軸受リールは、ベイトキャスト用のロープロフィール型のリールである。このリールは、リール本体１と、リール本体１の側方に配置されたスプール回転用ハンドル２と、リール本体１の内部に回転自在かつ着脱自在に装着された糸巻用のスプール１２とを備えている。ハンドル２のリール本体１側には、ドラグ調整用のスタードラグ３が設けられている。
【００１３】
ハンドル２は、板状のハンドルアーム２ａと、ハンドルアーム２ａの両端に回転自在に装着された把手部２ｂとを有するダブルハンドル形のものである。
リール本体１は、釣り竿Ｒに装着されたリールシートＲＳに装着される。
ここで、リールシートＲＳは、釣り竿Ｒに固定されたシート本体ＳＨと、シート本体に回転不能かつ前後移動自在に装着された前フードＦＦと、シート本体ＳＨの後部に一体で形成された後フードＲＦとを有している。前フードＦＦには、前グリップＦＧが回転自在かつ軸方向移動不能に連結されており、前グリップＦＧは、シート本体ＳＨにネジ結合されている。このような構成のリールシートＲＳでは、前グリップＦＧを回転させることで前フードＦＦが前後進し、前後のフードＦＦ，ＲＦの間の距離を調整可能である。
【００１４】
リール本体１は、フレーム５と、フレーム５の両側方に装着された第１側カバー６ａ及び第２側カバー６ｂとを有している。第１側カバー６ａは、フレーム５に開閉自在に装着され、第２側カバー６ｂは、フレーム５にビス止めされている。また、リール本体１は、前方を覆う前カバー７と、上部を覆うサムレスト８とを有している。前カバー７及びサムレスト８は、いずれもフレーム５にビス止めされている。
【００１５】
フレーム５は、図２及び図３に示すように左右（釣り竿の長手方向と交差する方向）に所定の間隔をあけて互いに対向するように配置された１対の側板５ａ，５ｂと、これらの側板５ａ，５ｂを連結するように側板５ａ，５ｂと一体で形成された複数の連結部５ｃ（図３参照）とを有している。下側の２つの連結部５ｃには、リールを釣り竿ＲのリールシートＲＳに装着するための前後（釣り竿の長手方向）に長い竿装着脚４が２本のボルト９により締結されている。
【００１６】
竿装着脚４は、図４〜図６に示すように、２本のボルト９により連結部５ｃに締結された装着部本体２０と、装着部本体２０の両端に配置され装着部本体２０に対して前後に移動自在に装着された１対の係止部２２，２２と、１対の係止部２２，２２を外方に付勢するコイルばね２４と、係止部２２，２２の両側面に装着されたばね部材２５とを有している。
【００１７】
装着部本体２０は前後に長い矩形棒状の部材であり、その前後端の上部両側面にはガイド溝２０ａが所定の前後長さで形成されている。装着部本体２０の両端２０ｂには、係止部２２，２２を抜け止めするためのストッパ２６，２６がビス止めされている。
各係止部２２は、内部に上方が開口する断面矩形のガイド空間２８を有する矩形棒状の部材であり、その先端上面にリールシートＲＳに係止可能な先細りのテーパ部３０を有している。また、その先端両側部には、ばね部材２５を収納するために凹んだ収納部３２が形成されている。
【００１８】
係止部２２，２２のガイド空間２８は、装着部本体２０のガイド溝２０ａ形成部分から下部分の矩形断面と略等しい断面の空間であり、所定長さを有している。また、ガイド空間２８の開口部分３４は、装着部本体２０のガイド溝２０ａ形成部分の幅と等しい距離隔てて対向する第１開口部３４ａと、第１開口部３４ａの両外方にストッパ２６の長手方向長さよりわずかに長い距離隔てて対向する第２開口部３４ｂとで構成される。
【００１９】
このような構成の係止部２２，２２は、ガイド溝２０ａ形成部分で装着部本体２０に前後に移動自在に案内される。また、第１開口部３４ａと第２開口部３４ｂとの段差部分３４ｃでストッパ２６により係止部２２の抜け止めがなされる。コイルばね２４は、装着部本体２０の先端２０ｂと係止部２２のガイド空間２８の段差部２８ａとの間に圧縮状態で配置されており、係止部２２，２２を両外方に付勢する。
【００２０】
ばね部材２５は、収納部３２に形成された溝部３２ａに両端が挿入された板ばねであり、側方に凸に湾曲している。この湾曲部分の頂点は、係止部２２の両側面より側方に突出している。このようなばね部材２５を係止部２２の両側面に設けることで、リールシートＲＳの形状等により係止部２２の両側とフードＦＦ，ＲＦとの間に隙間が形成されても、竿装着脚４をリールシートＲＳに緩むことなく装着できる。
【００２１】
このような構成の竿装着脚４は、係止部２２が装着部本体２０に対して前後に移動自在であるので、竿装着脚４の全体長さを自由に変更でき、竿装着脚４とリールシートＲＳとの隙間をなくしてリールをリールシートＲＳにがたつきを抑えて確実に装着できる。
フレーム５内には、図３に示すように、釣り竿Ｒと直交する方向に配置されたスプール１２と、スプール１２内に均一に釣り糸を巻くためのレベルワインド機構１５と、サミングを行う場合の親指の当てとなる、クラッチレバー１７とが配置されている。スプール１２は、スプール軸１６に回転不能に連結されており、ハンドルの回転により糸巻取り方向に回転する。またフレーム５と第２側カバー６ｂとの間には、ハンドル２からの回転力をスプール１２及びレベルワインド機構１５に伝えるためのギア機構やハンドル２の回転をスプール１２に伝達・遮断するクラッチ機構などの機構が配置されている。
【００２２】
次にリールの装着方法について説明する。
リールをリールシートＲＳに装着する場合には、まずリールシートＲＳの前フードＦＦを前グリップＦＧを回すことで図３の左方に移動させ、前フードＦＦと後フードＲＦとの距離を竿到着脚４が装着可能な大きさにする。
このとき、リールシートＲＳの形状やサイズによっては、両係止部が従来のように固定されている場合、係止部とリールシートＲＳとの間に隙間があいてがたつくことがある。しかし、本実施形態では、係止部２２が装着部本体２０に対して移動自在でかつコイルばね２４により両外方に付勢されているので、両係止部２２が両外方に付勢されリールシートＲＳとの隙間がなくなり、この結果、リールをリールシートＲＳにがたつきを抑えて確実に装着可能になる。
【００２３】
〔実施形態２〕
前記実施形態１では、コイルばね２４により係止部２２を両外方に付勢しているが、図７及び図８に示すように、両係止部２２をネジ等の往復移動機構により移動可能にしてもよい。
図７及び図８において、装着部本体２０は、連結部５ｃとたとえばボルトにより連結されている。装着部本体２０の両端部下面には往復移動機構５０を構成する断面台形状のガイド突起４０が所定長さで形成されている。ガイド突起４０の間には１対のブラケット４２が前後に間隔を隔てて配置されている。この１対のブラケット４２には往復移動機構５０を構成するネジ軸４４が回転自在かつ軸方向移動不能に支持されている。ネジ軸４４の中央部には他の部分より大径のつまみ部４４ａが形成されており、両端部には所定長さのネジ部４４ｂ，４４ｃが形成されている。ここで、ネジ部４４ｂは左ネジであり、ネジ部４４ｃは右ネジである。
【００２４】
係止部２２，２２は、矩形棒状の部材であり、先端上面にリールシートＲＳに係止可能な先細りのテーパ面３０を有している。係止部２２，２２の中心部には、前後に延びるネジ孔４８ａ，４８ｂが形成されている。ここで、ネジ孔４８ａは、ネジ部４４ｂに螺合する左ネジの孔であり、ネジ孔４８ｂは、ネジ部４４ｃに螺合する右ネジの孔である。係止部２２の上面には、ガイド突起４０に係合するあり溝４６が形成されている。これにより係止部２２は、装着部本体２０に対して前後移動自在に支持される。
【００２５】
このような構成の竿装着脚４では、つまみ部４４ａを回転させると、逆ネジに構成されたネジ部４４ｂ，４４ｃに螺合した係止部２２が両外方又は両内方に移動する。これにより、両係止部２２両端の距離を細かく調整できる。このため、竿装着脚４を隙間をない最適な長さに設定でき、がたつきを抑えてリールを緩まないように確実に装着できる。しかも、係止部２２が中心基準に伸縮するので、釣り竿Ｒに対するリールの位置が前後にずれにくい。
【００２６】
〔他の実施形態〕
（ａ）  前記実施形態１では、係止部を付勢する部材としてコイルばねを用いたが、コイルばねに代えて板ばねやゴムなどの弾性体を用いてもよい。また、ばね部材２５として板ばねを用いたが、板ばねに代えて丸棒状のばねやコイルばねや弾性体を用いてもよい。
【００２７】
（ｂ）  前記実施形態２では、往復移動機構５０として逆ネジを用いて中心基準で伸縮する構成を例示したが、往復移動機構の構成は逆ネジを用いた構成に限定されるものではなく、カム機構やリンク機構等の他の機構を用いてもよい。このとき、中心基準ではなく一方の係止部だけを往復移動させるように構成してもよい。
【００２８】
（ｃ）  前記実施形態では、釣り用リールとして両軸受リールを例に説明したが、本発明はこれに限定されるものではなく、両軸受リールの他にスピニングリールや片軸受リールにも本発明を適用できる。
【００２９】
【発明の効果】
本発明によれば、リールシートのサイズに応じて係止部を本体部に対して長手方向に移動させることができるので、釣り竿装着機構の全体長さを自由に変更でき、リールをリールシートにがたつきを抑えて確実に装着できる。
【図面の簡単な説明】
【図１】本発明の一実施形態が採用された両軸受リールの斜視図。
【図２】その平面図。
【図３】釣り竿に装着された状態の両軸受リールの断面図。
【図４】本発明の一実施形態による竿装着脚の斜視部分図。
【図５】その先端部の断面図。
【図６】図５のVI−VI断面図。
【図７】実施形態２の図５に相当する図。
【図８】図７のVIII−VIII断面図。
【符号の説明】
１  リール本体
４  竿装着脚
２０  装着部本体
２２  係止部
２４  コイルばね
２５  ばね部材
４４  ネジ軸
Ｒ  釣り竿
ＲＳ  リールシート
【図１】
0003888406.tif 000002
【図２】
0003888406.tif 000003
【図３】
0003888406.tif 000004
【図４】
0003888406.tif 000005
【図５】
0003888406.tif 000006
【図６】
0003888406.tif 000007
【図７】
0003888406.tif 000008
【図８】
0003888406.tif 000009